(57)【要約】【課題】開閉機構部を小形化した回路遮断器を得る。【解決手段】過負荷電流が流れた場合に引きはずし装置がトリップバーを動作させ、トリップバーが機構フレームに固定保持されているラッチばねによって付勢保持されている掛け金とラッチの係合を外すことによって開閉機構部を動作させる回路遮断器に於いて、ラッチばねは機構フレームに設けられたラッチばねのコイル部分外周径よりやや大きい内径の孔部に挿入されて保持され、ラッチばねの両足は機構フレームを挟んでその両側に掛け金及びラッチと当接してこれらを付勢するように構成される。【選択図】図１２
2010140818.tif 000002
【特許請求の範囲】
【請求項１】
固定接点に対向する可動接点を備え、駆動されることにより前記可動接点を前記固定接点に対して離反又は接触させて電気回路を遮断し又は閉じる可動接触子と、
前記電気回路に所定値以上の電流が流れたときに動作する引き外し装置と、
回動可能に設けられ、前記引き外し装置の動作に基づいて駆動され所定方向に回動するトリップバーと、
前記トリップバーに掛け金を介して係合可能に設けられると共にラッチばねにより常時所定方向に回動するように付勢され、前記係合しているときは前記回動が阻止され、前記トリップバーが前記回動したとき前記係合が解かれて前記所定方向に回動するラッチと、
前記ラッチに係合可能に設けられ、前記ラッチが前記所定方向に回動したとき前記ラッチとの係合が解かれて前記可動接触子を駆動して前記電気回路を遮断し又は閉じる開閉機構部と
を備えた回路遮断器であって、
前記ラッチばねは、コイル部と前記コイル部の両端部に夫々設けられた一対の足部とを備え、前記コイル部が前記開閉機構部を保持する機構フレームに設けられた孔部に挿入されることにより前記機構フレームに保持され、
前記ラッチばねの前記一対の足部は、前記機構フレームを挟んで前記機構フレームの両側部側に別々に配置され、前記一対の足部のうちの一方の足部が前記ラッチに当接して前記ラッチを付勢すると共に、他方の足部が前記掛け金に当接して前記掛け金を付勢することを特徴とする回路遮断器。
【請求項２】
前記孔部は、前記機構フレームの一部分にバーリング加工することにより形成されていることを特徴とする請求項１に記載の回路遮断器。
【請求項３】
前記孔部は、前記機構フレームの一部分に曲げ加工することにより形成されていることを特徴とする請求項１に記載の回路遮断器。
【請求項４】
前記孔部は、前記機構フレームの一部分に切込みによるせん断加工することにより形成されていることを特徴とする請求項１に記載の回路遮断器。
【請求項５】
前記孔部は、前記機構フレームの一部分に設けられた貫通孔に中空筒状部材を固定することにより形成されていることを特徴とする請求項１に記載の回路遮断器。
【請求項６】
前記孔部は、前記ラッチばねの前記一対の足部のうちの少なくとも一方を通し得る溝部により前記機構フレームの端面に繋がっていることを特徴とする請求項１に記載の回路遮断器。
【請求項７】
前記ラッチばねの両足部の夫々の外側に、前記ラッチばねの軸方向への移動を規制する壁部を設けたことを特徴とする請求項１乃至６のうちの何れか１項に記載の回路遮断器。
【請求項８】
固定接点に対向する可動接点を備え、駆動されることにより前記可動接点を前記固定接点に対して離反又は接触させて電気回路を遮断し又は閉じる可動接触子と、
前記電気回路に所定値以上の電流が流れたときに動作する引きはずし装置と、
回動可能に設けられ、前記引き外し装置の動作に基づいて駆動され所定方向に回動するトリップバーと、
前記トリップバーに掛け金を介して係合可能に設けられると共にラッチばねにより常時所定方向に回動するように付勢され、前記係合しているときは前記回動が阻止され、前記トリップバーが前記回動したとき前記係合が解かれて前記所定方向に回動するラッチと、
前記掛け金を常時付勢する掛け金ばねと、前記ラッチに係合可能に設けられ、前記ラッチが前記所定方向に回動したとき前記ラッチとの係合が解かれて前記可動接触子を駆動して前記電気回路を遮断し又は閉じる開閉機構部と
を備えた回路遮断器であって、
前記ラッチばねは、コイル部と前記コイル部の両端部に夫々設けられた一対の足部とを備え、前記コイル部が前記開閉機構部を保持する機構フレームに設けられた第１の孔部に挿入されることにより前記機構フレームに保持され、前記一対の足部のうちの一方が前記ラッチに当接して前記ラッチを付勢し、
前記掛け金ばねは、コイル部と前記コイル部の両端部に夫々設けられた一対の足部とを備え、前記コイル部が前記開閉機構部を保持する機構フレームに設けられた第２の孔部に挿入されることにより前記機構フレームに保持され、前記一対の足部のうちの一方が前記掛け金に当接して前記掛け金を付勢することを特徴とする回路遮断器。
【請求項９】
前記第１の孔部と前記第２の孔部とのうちの少なくとも一方は、前記機構フレームの一部分にバーリング加工することにより形成されていることを特徴とする請求項９に記載の回路遮断器。
【請求項１０】
前記第１の孔部と前記第２の孔部とのうちの少なくとも一方は、前記機構フレームの一部分に曲げ加工することにより形成されていることを特徴とする請求項９に記載の回路遮断器。
【請求項１１】
前記第１の孔部と前記第２の孔部とのうちの少なくとも一方は、前記機構フレームの一部分に切込みによるせん断加工することにより形成されていることを特徴とする請求項９に記載の回路遮断器。
【請求項１２】
前記第１の孔部と前記第２の孔部とのうちの少なくとも一方は、前記機構フレームの一部分に設けられた貫通孔に中空筒状部材を固定することにより形成されていることを特徴とする請求項９に記載の回路遮断器。
【請求項１３】
前記第１の孔部と前記第２の孔部とのうちの少なくとも一方は、前記ラッチばねの前記一対の足部のうちの少なくとも一方を通し得る溝部により前記機構フレームの端面に繋がっていることを特徴とする請求項９に記載の回路遮断器。
【請求項１４】
前記ラッチばねと前記掛け金ばねとのうちの少なくとも一方の両足部の夫々の外側に、前記ラッチばね又は前記掛け金ばねの軸方向への移動を規制する壁部を設けたことを特徴とする請求項９乃至１３のうちの何れか１項に記載の回路遮断器。
【発明の詳細な説明】
【技術分野】
【０００１】
この発明は、回路遮断器、特にその開閉機構部の構造に関するものである。
【背景技術】
【０００２】
従来の回路遮断器に於いては、例えば、特許文献１に示されるように、開閉機構部の機構フレームに保持されたラッチばねは、ねじりコイルばねにより構成されており、そのラッチばねの内径部空間が一対の機構フレームに固定保持された軸ピン若しくは機構フレームの曲げ部分により貫通され、ラッチばねの両足部のうちの一方の足部が回動自在に支持されたラッチに当接し他方の足部がフレームの曲げ部に当接し、これにより前述のラッチを所定方向に付勢している。
【０００３】
このように構成された従来の回路遮断器は、所定値以上の過負荷電流が所定時間以上流れた場合に、限時引き外し装置を構成するバイメタル部が所定量以上彎曲してトリップバーを押圧し、これによりトリップバーが回動する。トリップバーが回動することにより、トリップバーに当接している掛け金が動作して前述のラッチと掛け金との係合が外れ、これにより開閉機構部がトリップ動作して可動接触子が駆動され、可動接触子に固定されている可動接点が固定接点から乖離して回路を遮断する。又、短絡電流等の過大な電流が流れた場合は、瞬時引き外し装置を構成する電磁石装置が動作してトリップバーを回動させ、これにより前述の場合と同様にラッチと掛け金との係合が外れ、開閉機構部がトリップ動作して可動接触子を駆動し、回路を瞬時に遮断する。
【特許文献１】特開２００１−３５１４９６号公報（第１３図）
【発明の開示】
【発明が解決しようとする課題】
【０００４】
前述のように構成された従来の回路遮断器の場合、可動接触子を駆動して回路の開閉動作を行う際に動作するハンドルアームやメインばね等の開閉機構構成部材や、バイメタル部やプランジャー部等の引き外し装置構成部材が、ラッチばねを保持する軸ピン若しくは機構フレームの曲げ部分等のラッチばね保持部材と干渉しないようにするために、前述の開閉機構構成部材や引き外し装置構成部材の動作軌跡上に、ラッチばね保持部材を配置しないように配置構成を行う必要があり、このことが回路遮断器の小形化の障害になるという課題があった。
【０００５】
この発明は、従来の回路遮断器に於ける前述のような課題を解決するためになされたもので、容易に小形化することができる回路遮断器を得ることを目的としたものである。
【課題を解決するための手段】
【０００６】
この発明による回路遮断器は、固定接点に対向する可動接点を備え、駆動されることにより前記可動接点を前記固定接点に対して離反又は接触させて電気回路を遮断し又は閉じる可動接触子と、前記電気回路に所定値以上の電流が流れたときに動作する引き外し装置と、回動可能に設けられ、前記引き外し装置の動作に基づいて駆動され所定方向に回動するトリップバーと、前記トリップバーに掛け金を介して係合可能に設けられると共にラッチばねにより常時所定方向に回動するように付勢され、前記係合しているときは前記回動が阻止され、前記トリップバーが前記回動したとき前記係合が解かれて前記所定方向に回動するラッチと、前記ラッチに係合可能に設けられ、前記ラッチが前記所定方向に回動したとき前記ラッチとの係合が解かれて前記可動接触子を駆動して前記電気回路を遮断し又は閉じる開閉機構部とを備えた回路遮断器であって、前記ラッチばねは、コイル部と前記コイル部の両端部に夫々設けられた一対の足部とを備え、前記コイル部が前記開閉機構部を保持する機構フレームに設けられた孔部に挿入されることにより前記機構フレームに保持され、前記ラッチばねの前記一対の足部は、前記機構フレームを挟んで前記機構フレームの両側部側に別々に配置され、前記一対の足部のうちの一方の足部が前記ラッチに当接して前記ラッチを付勢すると共に、他方の足部が前記掛け金に当接して前記掛け金を付勢することを特徴とするものである。
【０００７】
又、この発明による回路遮断器は、固定接点に対向する可動接点を備え、駆動されることにより前記可動接点を前記固定接点に対して離反又は接触させて電気回路を遮断し又は閉じる可動接触子と、前記電気回路に所定値以上の電流が流れたときに動作する引き外し装置と、回動可能に設けられ、前記引き外し装置の動作に基づいて駆動され所定方向に回動するトリップバーと、前記トリップバーに掛け金を介して係合可能に設けられると共にラッチばねにより常時所定方向に回動するように付勢され、前記係合しているときは前記回動が阻止され、前記トリップバーが前記回動したとき前記係合が解かれて前記所定方向に回動するラッチと、前記掛け金を常時付勢する掛け金ばねと、前記ラッチに係合可能に設けられ、前記ラッチが前記所定方向に回動したとき前記ラッチとの係合が解かれて前記可動接触子を駆動して前記電気回路を遮断し又は閉じる開閉機構部とを備えた回路遮断器であって、前記ラッチばねは、コイル部と前記コイル部の両端部に夫々設けられた一対の足部とを備え、前記コイル部が前記開閉機構部を保持する機構フレームに設けられた第１の孔部に挿入されることにより前記機構フレームに保持され、前記一対の足部のうちの一方が前記ラッチに当接して前記ラッチを付勢し、前記掛け金ばねは、コイル部と前記コイル部の両端部に夫々設けられた一対の足部とを備え、前記コイル部が前記開閉機構部を保持する機構フレームに設けられた第２の孔部に挿入されることにより前記機構フレームに保持され、前記一対の足部のうちの一方が前記掛け金に当接して前記掛け金を付勢することを特徴とするものである。
【発明の効果】
【０００８】
この発明の回路遮断器によれば、ラッチばねは、コイル部と前記コイル部の両端部に夫々設けられた一対の足部とを備え、前記コイル部が開閉機構部を保持する機構フレームに設けられた孔部に挿入されることにより前記機構フレームに保持され、前記ラッチばねの前記一対の足部は、前記機構フレームを挟んで前記機構フレームの両側部側に別々に配置され、前記一対の足部のうちの一方の足部が前記ラッチに当接して前記ラッチを付勢すると共に、他方の足部が掛け金に当接して前記掛け金を付勢するように構成されているので、ラッチばねが機構フレーム間に占有する空間は、機構フレームの板厚分及びラッチばねの一つの足分のみであり、開閉機構部のハンドルアームやメインばね等の動作軌跡若しくは引き外し装置のバイメタル部や電磁石装置のプランジャー部等の動作軌跡、又はその双方の軌跡に対する垂直方向側部にラッチばねを配置することができ、開閉機構部ひいては回路遮断器の小形化を図ることができる。
【０００９】
又、この発明による回路遮断器によれば、ラッチばねは、コイル部と前記コイル部の両端部に夫々設けられた一対の足部とを備え、前記コイル部が開閉機構部を保持する機構フレームに設けられた第１の孔部に挿入されることにより前記機構フレームに保持され、前記一対の足部のうちの一方が前記ラッチに当接して前記ラッチを付勢し、掛け金ばねは、コイル部と前記コイル部の両端部に夫々設けられた一対の足部とを備え、前記コイル部が前記開閉機構部を保持する機構フレームに設けられた第２の孔部に挿入されることにより前記機構フレームに保持され、前記一対の足部のうちの一方が前記掛け金に当接して前記掛け金を付勢するに構成されているので、ラッチばね及び掛け金ばねが機構フレーム間に占有する空間は、機構フレームの板厚分及びラッチばねの一つの足分のみであり、開閉機構部のハンドルアームやメインばね等の動作軌跡若しくは引き外し装置のバイメタル部や電磁石装置のプランジャー部等の動作軌跡、又はその双方の軌跡に対する垂直方向側部にラッチばね及び掛け金ばねを配置することができ、開閉機構部ひいては回路遮断器の小形化を図ることができる。
【発明を実施するための最良の形態】
【００１０】
この発明の目的、特徴、効果は、以下の実施の形態に於ける詳細な説明、及び図面の記載からより明らかとなるであろう。
【００１１】
実施の形態１．
以下、図面と共に、この発明の実施の形態１による回路遮断器について詳細に説明する。尚、各図中、同一符号は、同一又は相当部分を示す。図１は、この発明の実施の形態１による三相用回路遮断器（以下、単に、回路遮断器と称する）の外観を示す斜視図、図２は、そのカバー部を外した状態での開閉機構部と引きはずし装置とベース筐体を示す斜視図である。
【００１２】
図１、及び図２に於いて、回路遮断器１００は、開閉機構部２００と、引きはずし装置３００、開閉接点部（図示せず）、消弧装置（図示せず）から構成されている。消弧装置は、絶縁材料で形成されたベース１０１とミドルベース１０２とからなるベース筐体１に収納され、開閉機構部２００と引きはずし装置３００、及び開閉接点部は、ミドルベース１０２に固定されて保持されている。絶縁材料で形成されたカバー１１１は、ベース筐体１に着脱自在に装着されている。
【００１３】
図３は、回路遮断器１００のオン状態での開閉機構部２００と引きはずし装置３００を示す斜視図、図４は、回路遮断器１００のトリップ状態に於ける開閉機構部２００と引きはずし装置３００を示す斜視図である。図３、及び図４に於いて、回路遮断器１００が接続された三相電気回路である負荷回路に、所定値以上の負荷電流、つまり過負荷電流が、所定時間以上流れた場合に、引きはずし装置３００に於ける限時引きはずし手段を構成するバイメタル部２が図の右方へ所定量わん曲変形して、開閉機構部２００のトリップバー３を動作させ、後述するように、トリップバー３が当接している掛け金４を回動させることによって開閉機構部２００をトリップさせて、負荷回路のＲ、Ｓ、Ｔ相導体（図示せず）に夫々接続される開閉接点部の３個の固定接点５に接触していた３個の可動接点６を開離させる。
【００１４】
又、短絡電流が流れた場合には、引きはずし装置３００に於ける瞬時引きはずし手段を構成する電磁石装置の電磁コイル部７に大きな磁力が発生して、そのプランジャー部８が図の右方へ吸引され、後述するようにプランジャー部８が掛け金４を回動させることによって開閉機構部２００をトリップさせて、開閉接点部の固定接点５と可動接点６とを開離させる。
【００１５】
次に、開閉機構部２００の構成について説明する。図５は回路遮断器１００のオン状態に於ける開閉機構部２００を示す斜視図、図６は、回路遮断器１００のオン状態に於ける開閉機構部２００の側断面図、図７は、回路遮断器１００のオフ状態に於ける開閉機構部２００の斜視図、図８は、回路遮断器１００のオフ状態に於ける開閉機構部２００の側断面図、図９は、回路遮断器１００のトリップ状態に於ける開閉機構部２００の斜視図、図１０は、回路遮断器１００のトリップ状態に於ける開閉機構部２００の側断面図である。
【００１６】
図５乃至図１０に於いて、間隔を介して対向して配置された一対の機構フレーム１４は、前述のベース筐体１に固定されている。クロスバー２０は、一対の機構フレーム１４に回動自在に支持され、可動接点６を夫々固定した３個の可動接触子２１を回動自在に保持している。夫々の可動接触子２１は、接圧ばね２２により常時時計方向に付勢されており、これにより可動接点６を所定の接触圧力にて固定接点５に接触させる。
【００１７】
ハンドルアーム１２は、ピン１２１により機構フレーム１４に回動自在に支持されており、操作員により手動により操作されるハンドル２４が固定されている。図５、図７、図９によく示されているように、ハンドルアーム１２の曲げ部１２３が機構フレーム１４の曲げ部１４１に当接することによりハンドル２４及びハンドルアーム１２の時計方向への回動が阻止される。
【００１８】
第１のリンク９の一端部と第２のリンク１０の一端部とは、コネクトピン１３により回動自在に連結され、第２のリンク１０の他端部は、ピン２３によりクロスバー２０に回動自在に連結されている。第１のリンク９は、その他端部に円弧状の凹面部９１を備えている。引っ張りばねにより構成されたメインばね１１は、一端部が前述のコネクトピン１３に固定され、他端部がハンドルアーム１２のばね掛け部１２２に固定されており、コネクトピン１３を常時図の左方向に付勢している。
【００１９】
レバー１９は、その一端部に後述するラッチ１６の一端部に係合し得る係合部１９２を備え、他端部に円弧状の凸面部１９３を備えている。第１のリンク９は、メインばね１１によりコネクトピン１３を介して図の左方向に付勢され、第１のリンク９の凹面部９１がレバー１９の凸面部１９３に強固に当接し、これによって第１のリンク９とレバー１９とが連結されている。尚、第１のリンク９の凹面部９１とレバー１９の凸面部１９３とは摺動可能に当接している。
【００２０】
ラッチ１６は、ピン１６１により機構フレーム１４に回動自在に支持され、レバー１９の係合部１９２に係合し得る第１の係合部１６２を一端部に備え、後述する掛け金４の第１の係合部４１に係合し得る第２の係合部１６３を他端部に備えている。トリップバー３は、一対の機構フレーム１４に回動自在に支持され、後述する掛け金４の第２の係合部４２と係合し得る係合部３１を備えている。このトリップバー３は、図２、図３、図４に示すように、引きはずし装置３００に於けるバイメタル部２の先端部に対向して設けられており、前述したように三相電気回路に所定値以上の電流が所定時間以上流れることにより所定量彎曲したバイメタル部２により押圧されて時計方向に回動するように構成されている。
【００２１】
掛け金４は、図５、図７、図８によく示されているように、一対の機構フレーム１４に回動自在に支持され、前述のラッチ１６の第２の係合部１６３に係合し得る第１の係合部４１と、前述のトリップバー３の係合部３１に係合し得る第２の係合部４２とを備えている。又、掛け金４は、一方の機構フレーム１４の外側に配置されたばね受部４３と、前述の引きはずし装置３００に於ける瞬時引き外し手段を構成する電磁石装置のプランジャー部８に係合し得る第３の係合部４４とを備えている。
【００２２】
次に、ラッチばね１５とその保持について説明する。図１１は、回路遮断器１００の開閉機構部２００を保持する機構フレーム１４の一部分を示す斜視図、図１２は、回路遮断器１００のオン状態に於ける機構フレーム１４とラッチばね１５と掛け金４とラッチ１６を示す斜視図、図１３は、回路遮断器１００のオン状態に於ける機構フレーム１４とラッチばね１５と掛け金４とラッチ１６を示す側断面図、図１４は、図６のＸ方向から見た機構フレーム１４とラッチばね１５と掛け金４とラッチ１６を示す正面図、図１５は、回路遮断器１００のトリップ状態に於ける機構フレーム１４とラッチばね１５と掛け金４とラッチ１６を示す斜視図、図１６は、回路遮断器１００のトリップ状態に於ける機構フレーム１４とラッチばね１５と掛け金４とラッチ１６を示す側断面図である。
【００２３】
図１１乃至図１６に示すように、開閉機構部２００を保持する機構フレーム１４は、孔部を構成する貫通孔１４２を備えている。ラッチばね１５は、コイル部１５１と、このコイル部１５１の両端部に繋がる一対の足部１５２、１５３とを備え、そのコイル部１５１が機構フレーム１４の貫通孔１４２を貫通し、その一対の足部１５２、１５３は夫々機構フレーム１４を挟んでその両側に別々に位置するように配置されている。前述の機構フレーム１４の貫通孔１４２は、その内径がラッチばね１５のコイル部１５１の外径よりやや大きい程度に形成されており、この貫通孔１４２内に挿入されたラッチばね１５は、そのコイル部１５１の最外周部が機構フレーム１４の貫通孔１４２の内周面に当接することで機構フレーム１４に保持されている。
【００２４】
機構フレーム１４の貫通孔１４２内に挿入されて保持されたラッチばね１５は、その一方の足部１５２が掛け金４のばね受部４３に係合して掛け金４を時計方向に回動する方向に駆動し、他方の足部１５３がラッチ１６の他端部に設けられたばね受部１６４に係合してラッチ１６を反時計方向に回動するように付勢している。
【００２５】
以上のように構成されたこの発明の実施の形態１による回路遮断器に於いて、次にその動作を説明する。回路遮断器１００がオン状態にあるときは、図３、図５、及び図６に示すように、ハンドル２４はハンドルアーム１２の曲げ部１２３が機構フレーム１４の曲げ部１４１に当接若しくはその近傍に位置して停止している。このとき、ラッチばね１５により常時時計方向に付勢されている掛け金４は、図示の位置に静止した状態にあり、掛け金４の第２の係合部４２がトリップバー３の係合部３１と係合してトリップバー３の時計方向への回動を阻止すると共に、掛け金４の第１の係合部４１がラッチ１６の第２の係合部１６３に係合してラッチ１６の時計方向への回動を阻止している。
【００２６】
又、ハンドルアーム１２の先端部に固定されたメインばね１１の他端部は、図３、図５、図６に示す位置にあり、メインばね１１は、その引っ張り力によりコネクトピン１３を介して第１のリンク９を図の左方向に付勢している。これにより、レバー１９の凸面部１９３が第１のリンク９の凹面部９１を介して図の左方へ付勢されており、レバー１９はピン１９１を回動中心として時計方向へ回動する方向に付勢されているが、レバー１９の一端部に設けられている係合部１９２がラッチ１６の一端部に設けられた第１の係合部１６２に係合しており、レバー１９の時計方向への回動がラッチ１６により阻止されている。
【００２７】
この状態に於いて、コネクトピン１３により第１のリンク９に連結された第２のリンク１０は、図３、図５、及び図６に示す位置にあり、ピン２３を介して可動接触子２１をオン位置に押圧しており、可動接触子２１に固定された可動接点６は、接圧ばね２２による接触圧力にて固定接点５に接触し負荷回路を閉じている。
【００２８】
次に、図３、図５、図６に示す回路遮断器１００のオン状態にあるとき、負荷回路に所定値以上の負荷電流が所定時間以上流れたときのトリップ動作、即ち、限時引き外し手段の動作による回路遮断器のトリップ動作について説明する。負荷回路に所定値以上の負荷電流が所定時間以上流れると、引きはずし装置３００に於ける限時引き外し手段を構成するバイメタル部２は、図３に示す位置から図の右方向へ所定量以上湾曲してトリップバー３に当接しこれを時計方向へ回動させて図４に示す位置となる。トリップバー３が時計方向に回動することにより、その係合部３１が掛け金４の第２の係合部４２を左方向へ押圧して掛け金４を図５に示す位置から反時計方向へ回動させ、図４、図９、図１０に示す位置となる。
【００２９】
掛け金４が反時計方向へ回動すると、掛け金４の第１の係合部４１がラッチ１６の第２の係合部１６３から外れ、ラッチ１６は、ラッチばね１５による付勢力によりピン１６１を回転中心として時計方向へ回動する。ラッチ１６の時計方向への回動により、ラッチ１６の第１の係合部１６２とレバー１９の係合部１９２との係合が外れる。これにより、レバー１９はラッチ１６との係合による回動阻止から釈放され、メインばね１１の付勢力により急速にピン１９１を回動中心として時計方向へ回動し、その凸面部１９３が図１０に示す位置へ移動する。
【００３０】
レバー１９の凸面部１９３が図６に示す位置から図１０に示す位置へ移動する過程の途中に於いて、レバー１９の凸面部１９３と第１のリンク９の凹面部９１との当接面の位置がメインばね１１の作用線を越えて図の上方へ移動する。その結果、第１のリンク９は、その凹面部９１を回動中心としてメインばね１１の付勢力により急速に時計方向へ回動し、第２のリンク１０の一端部をコネクトピン１３を介して図６に示す位置から図１０に示す位置へ移動させる。これにより、クロスバー２０はピン２３を介して第２のリンク１０により図の左方向へ急速に駆動され、反時計方向へ回動する。その結果、可動接触子２１はクロスバー２０により反時計方向に駆動され、可動接点６が固定接点５から離反し、負荷回路を遮断する。
【００３１】
次に、図３、図５、図６に示す回路遮断器１００のオン状態にあるとき、負荷回路に短絡電流等の過大電流が流れたときのトリップ動作、即ち、瞬時引き外し手段の動作による回路遮断器のトリップ動作について説明する。回路遮断器１００がオン状態にあって通常の負荷電流若しくは前述の限時引き外し手段が動作する程度の過電流が流れているときは、引きはずし装置３００に於ける瞬時引き外し手段を構成する電磁石装置の電磁コイル部７のプランジャー部８に対する吸引力は、プランジャー部８を図の左方向へ付勢するプランジャー付勢ばね（図示せず）の付勢力より小さく、従って、プランジャー部８はプランジャー付勢ばねにより図の左方向に押圧されて図３に示す位置に静止している。
【００３２】
この状態に於いて短絡電流等の過大電流が流れたとすると、電磁コイル部７のプランジャー部８に対する吸引力がプランジャー付勢ばねの付勢力より大きくなり、プランジャー部８は瞬時に電磁コイル部７に吸引されて図３に示す位置から図の右方向へ移動する。このプランジャー部８の移動過程の途中に於いて、掛け金４の第３の係合部４４がプランジャー部８に係合し、掛け金４は図３、図５、図６に示す位置から反時計方向へ回動する。
【００３３】
掛け金４の反時計方向への回動により、掛け金４の第１の係合部４１がラッチ１６の第２の係合部１６３から外れ、ラッチ１６は、ラッチばね１５による付勢力によりピン１６１を回転中心として時計方向へ回動する。これにより、前述の限時引き外し手段の動作による回路遮断器のトリップ動作と同様にして可動接点６が固定接点５から離反し、負荷回路を瞬時に遮断し、図９、図１０に示すトリップ状態となる。
【００３４】
次に、前述の限時引き外し手段、若しくは瞬時引き外し手段の動作により回路遮断器１００がトリップ動作した後の図９、図１０に示すトリップ状態から、再度オン状態とするためのリセット動作について説明する。回路遮断器１００をリセットするには、図９、図１０に示すトリップ状態から、ハンドル２４を更に図の左方向のリセット位置（ハンドル２４が図の左方へ移動し得るほぼ限界の位置）まで移動させる。このハンドル２４のリセット位置への移動により、ハンドルアーム１２がピン１２１を回動中心として反時計方向へ回動し、メインばね１１及び第１のリンク９が図の下方へ移動する。その結果、レバー１９が、ピン１９１を回動中心として反時計方向へ回動し、トリップ動作時に解除されていたレバー１９の係合部１９２とラッチ１６の第１の係合部１６２との係合が保持される。
【００３５】
これに伴い、ラッチばね１５の他方の足部１５２に当接している掛け金４は、ラッチばね１５の付勢力によりその回動中心に対して図９、図１０に示す位置から時計方向に回動する。この掛け金４の時計方向の回動により、ラッチばね１５の一方の足部１５３に当接しているラッチ１６は、ピン１６１を回動中心としてラッチばね１５の付勢力により図７、図８に示す位置から反時計方向へ回動する。  
【００３６】
ハンドル２４をリセット位置まで操作して後にハンドルを手から開放すると、トリップバー３は、掛け金４の前述の時計方向への回動により初期位置に保持されてトリップバー３の係合部３１が掛け金４の第２の係合部４２に係合する。又、同時に、ラッチ１６の第２の係合部１６３が掛け金４の第１の係合部４１に係合する。以上のようにして、回路遮断器１００は図９、図１０に示すトリップ状態からオフ状態となる。このときハンドル２４は、リセット状態の位置からやや図の右側にあって静止する。
【００３７】
前述のオフ状態からハンドル２４を更に時計方向へ回動させて図３、図５、図６に示すオン位置に移動させると、これと同時にハンドルアーム１２の先端部の位置がオフ位置から図３、図５、図６に示すオン位置へ移動する。このハンドルアーム１２の先端部の位置が移動過程の途中に於いて、メインばね１１の他端部の位置が第１のリンク９の凹面部９１とレバー１９の凸面部１９３との当接位置を越えて図の上方へ移動する。
【００３８】
その結果、メインばね１１はその引張り力によりコネクトピン１３を介して第１のリンク９をその凹面部９１を回動中心として反時計方向へ回動させると共に、第１のリンク９の凹面部９１とレバー１９の凸面部１９３との当接位置をリセット位置から図の下方へ移動させる。その結果、第２のリンク１０は、ピン２３を回動中心として時計方向へ回動すると共に図の右方向へ移動し、クロスバー２０及び可動接触子２１をその回動中心の周りに時計方向に回動させ、可動接点６を固定接点５に接触させ、負荷回路を閉じる。
【００３９】
次に、図３、図５、図６に示す回路遮断器１００のオン状態から、ハンドル２４を操作してオフ状態とする場合の動作について説明する。ハンドル２４を図の左方向へ操作することにより、ハンドルアーム１２がハンドル２４と共にピン１２１を回動中心として反時計方向へ回動する。この回動過程の途中に於いて、ハンドルアーム１２の先端部に固定されているメインばね１１の他端部は、第１のリンク９の凹面部９１とレバー１９の凸面部１９３との当接位置を越えて図７、図８に示す位置へ移動する。
【００４０】
前述のメインばね１１の他端部の移動により、第１のリンク９と第２のリンク１０との整列が崩れ、メインばね１１の引っ張り力によりコネクトピン１３が図の下方向に駆動され、第１のリンク９及び第２のリンク１０は、図３、図５、図６に示す位置から図７、図８に示す位置へ急速に移動する。前述の第２のリンク１０の移動により、ピン２３を介して第２のリンク１０に連結されたクロスバー２０は反時計方向に駆動され、可動接点６が固定接点５から離反し、負荷回路を遮断する。
【００４１】
以上のように構成されたこの発明の実施の形態１による回路遮断器によれば、ラッチばね１５は、そのコイル部１５１が機構フレーム１４の貫通孔１４２に挿入されて機構フレーム１４により保持され、一対の足部１５２、１５３が機構フレーム１４を挟んでその両側に夫々別々に配置されている。そして、ラッチばね１５は、その一方の足部１５３がラッチ１６に当接してラッチ１６を常時反時計方向に付勢し、他方の足部１５２が掛け金４に当接して掛け金４を常時時計方向に付勢しているため、ラッチばね１５及びラッチばね保持部である機構フレーム１４の貫通孔１４２が占有する空間は、一対の機構フレーム１４のうちの片側の機構フレームの近傍のみであり、他方の機構フレームの近傍及び一対の機構フレーム１４の間の空間部を他部品の配置に用いることができる。
【００４２】
このため、引きはずし装置３００に於ける限時引き外し手段を構成するバイメタル部２や瞬時引き外し手段を構成するプランジャー部８がオン状態での位置からトリップ状態の位置まで移動する動作軌跡を、ラッチばね１５の存在とは無関係に一対の機構フレーム１４の間の空間部に存在させることができ、回路遮断器１００の小型化を図ることができる。
【００４３】
即ち、図１７は、この発明の実施の形態１に於ける回路遮断器の引きはずし時におけるバイメタル部２とプランジャー部８の動作軌跡の側部にラッチばね１５及びラッチばね保持部である機構フレーム１４の貫通孔１４２が存在している状態を示す開閉機構部２００及び引きはずし装置３００を示す側断面図である。
【００４４】
このように、ラッチばね１５及びラッチばね保持部である機構フレーム１４の貫通孔１４２を、引きはずし装置３００の構成部品であるバイメタル部２やプランジャー部８の動作軌跡の側部からも避けて配置する必要がある従来の回路遮断器よりも、電源側端子から負荷側端子への方向で開閉機構部２００の占める距離が小さくでき、開閉機構部２００の幅寸法も小さくできるので、開閉機構部２００の小形化および回路遮断器１００の小形化ができる。
【００４５】
実施の形態２．
図１８は、この発明の実施の形態２による回路遮断器の開閉機構部に於ける機構フレームのラッチばねを保持する孔部を示す斜視図、図１９は、その機構フレームとラッチばねと掛け金とラッチを示す正面図である。図１８、図１９に於いて、機構フレーム１４は、バーリング加工により形成された貫通孔１４３を備えている。
【００４６】
即ち、この発明の実施の形態２による回路遮断器は、対向する一対の機構フレーム１４の一方の所定箇所に、バーリング加工によって、ラッチばね１５のコイル部分１５１を保持するための貫通孔１４３を形成したものである。貫通孔１４３の内径は、ラッチばね１５のコイル部１５１の外径よりやや大きく形成されている。
【００４７】
ラッチばね１５は、そのコイル部１５１が貫通孔１４３の内部に挿入され、コイル部１５１の最外周部が機構フレーム１４の貫通孔１４３の内周面に当接することで機構フレーム１４に保持される。ラッチばね１５の足部１５２、１５３は、夫々機構フレーム１４を挟んでその両側に別々に配置され、その一方の足部１５２が掛け金４のばね受部４３に係合して掛け金４を時計方向に回動する方向に付勢し、他方の足部１５３がラッチ１６の他端部に設けられたばね受部１６４に係合してラッチ１６を反時計方向に回動するように付勢している。その他の構成は、前述の実施の形態１による回路遮断器と同様である。
【００４８】
この実施の形態２による回路遮断器によれば、機構フレーム１４の一部をバーリング加工を行うことにより、ラッチばね１５のコイル部分１５１を保持する孔部としての貫通孔１４３を形成しているので、貫通孔１４３の軸方向長さが拡張され、開閉機構部の開閉操作時の衝撃によってラッチばね１５が変形して、機構フレームの貫通孔１４３からラッチばね１５が外れやすくなることを抑制することができる。
【００４９】
実施の形態３．
図２０は、この発明の実施の形態３による回路遮断器の開閉機構部に於ける機構フレームのラッチばねを保持する孔部を示す斜視図、図２１は、その機構フレームとラッチばねと掛け金とラッチを示す正面図である。図２０、図２１に於いて、機構フレーム１４は、機構フレーム１４に曲げ加工により形成された貫通孔１４４を備えている。
【００５０】
即ち、この発明の実施の形態３による回路遮断器は、対向する一対の機構フレーム１４の一方の所定箇所に、その内側に向かって延びるように曲げ加工された一対の延在部１４４１、１４４２を形成することにより、ラッチばね１５のコイル部分１５１を保持するための貫通孔１４４を形成したものである。貫通孔１４４を構成する一対の延在部１４４１、１４４２の対向間隔、及び一対の延在部１４４１、１４４２の両側に位置する機構フレーム１４の板厚方向面１４４３、１４４４の対向間隔は、ラッチばね１５のコイル部１５１の外径よりやや大きく形成されている。  
【００５１】
ラッチばね１５は、そのコイル部１５１が貫通孔１４４の内部に挿入され、コイル部１５１の最外周部が機構フレーム１４の貫通孔１４４を形成する一対の延在部１４４１、１４４２の対向面に当接することで機構フレーム１４に保持される。ラッチばね１５の足部１５２、１５３は、夫々機構フレーム１４を挟んでその両側に別々に配置され、その一方の足部１５２が掛け金４のばね受部４３に係合して掛け金４を時計方向に回動する方向に駆動し、他方の足部１５３がラッチ１６の他端部に設けられたばね受部１６４に係合してラッチ１６を反時計方向に回動するように付勢している。その他の構成は、前述の実施の形態１による回路遮断器と同様である。
【００５２】
この実施の形態３による回路遮断器によれば、機構フレームの一部を曲げ加工を行うことにより形成した延在部１４４１、１４４２により、ラッチばね１５を保持する孔部としての貫通孔１４４を形成しているので、ラッチばねのコイル部分１５１を保持する範囲が拡張され、開閉機構部の開閉操作時の衝撃によってラッチばね１５が変形して、機構フレームの貫通孔１４４からラッチばね１５が外れやすくなることを抑制することができる。
【００５３】
実施の形態４．
図２２は、この発明の実施の形態４による回路遮断器の開閉機構部に於ける機構フレームのラッチばねを保持する孔部を示す斜視図、図２３は、その機構フレームとラッチばねと掛け金とラッチを示す正面図である。図２２、図２３に於いて、機構フレーム１４は、機構フレーム１４に切込みによるせん断加工により形成した貫通孔１４５を備えている。
【００５４】
即ち、この発明の実施の形態４による回路遮断器は、対向する一対の機構フレーム１４の一方の所定箇所に、その内側に向かって延びるように切込みによるせん断加工された一対の延在部１４５１、１４５２を形成することにより、ラッチばね１５のコイル部分１５１を保持するための孔部としての貫通孔１４５を形成したものである。貫通孔１４５を構成する一対の延在部１４５１、１４５２の端面１４５５、１４５６は、夫々貫通孔１４５の貫通方向と平行に伸びる平面により構成され、これらの端面１４５５、１４５６の対向間隔、及び一対の延在部１４５１、１４５２の両側に位置する機構フレーム１４の板厚方向面１４５３、１４５４の対向間隔は、ラッチばね１５のコイル部１５１の外径よりやや大きく形成されている。
【００５５】
ラッチばね１５は、そのコイル部１５１が貫通孔１４５の内部に挿入され、コイル部１５１の最外周部が機構フレーム１４の貫通孔１４５を形成する一対の延在部１４５１、１４５２の対向面に当接することで機構フレーム１４に保持される。ラッチばね１５の足部１５２、１５３は、夫々機構フレーム１４を挟んでその両側に別々に配置され、その一方の足部１５２が掛け金４のばね受部４３に係合して掛け金４を時計方向に回動する方向に駆動し、他方の足部１５３がラッチ１６の他端部に設けられたばね受部１６４に係合してラッチ１６を反時計方向に回動するように付勢している。その他の構成は、前述の実施の形態１による回路遮断器と同様である。
【００５６】
この発明の実施の形態４による回路遮断器によれば、機構フレーム１４の一部を切込みによるせん断加工を行うことにより形成した延在部１４５１、１４５２によりラッチばね１５を保持する孔部としての貫通孔１４５を形成しているので、ラッチばねのコイル部分１５１を保持する範囲が拡張され、開閉機構部の開閉操作時の衝撃によってラッチばね１５が変形して、機構フレームの貫通孔１４５からラッチばね１５が外れやすくなることを抑制することができる。
【００５７】
実施の形態５．
図２４は、この発明の実施の形態５による回路遮断器の開閉機構部に於ける機構フレームのラッチばねを保持する孔部を示す斜視図、図２５は、その機構フレームとラッチばねと掛け金とラッチを示す正面図である。図２４、図２５に於いて、機構フレーム１４は、機構フレーム１４に設られた貫通孔に円筒形部材１７を挿入し、この円筒形部材１７を機構フレーム１４に接合することにより形成された孔部としての貫通孔１４６を備えている。
【００５８】
即ち、この発明の実施の形態５による回路遮断器は、対向する一対の機構フレーム１４の一方の所定箇所に設けた貫通孔に金属性の円筒形部材１７を圧入し、この円筒形部材１７と機構フレーム１４とを溶接若しくはロウ付け等により接合することにより、ラッチばね１５のコイル部分１５１を保持するための孔部である貫通孔１４６を形成したものである。円筒形部材１７は、その外周面にフランジ部１７１を備え、このフランジ部１７１の側面が機構フレーム１４に接合されている。その他の構成は、前述の実施の形態１による回路遮断器と同様である。
【００５９】
この実施の形態の形態５による回路遮断器によれば、円筒形部材１７を機構フレーム１４に接合することによりラッチばね１５を保持する孔部としての貫通孔１４６を形成しているので、ラッチばねのコイル部分１５１を保持する範囲が拡張され、開閉機構部の開閉操作時の衝撃によってラッチばね１５が変形して、機構フレームの貫通孔１４６からラッチばね１５が外れやすくなることを抑制することができる。
【００６０】
実施の形態６．
図２６は、この発明の実施の形態６による回路遮断器の開閉機構部に於ける機構フレームのラッチばねを保持する孔部を示す斜視図、図２７は、その回路遮断器のオン状態での開閉機構部に於ける機構フレームとラッチばねと掛け金とラッチ示す斜視図である。図２６、図２７に於いて、機構フレーム１４は、ラッチばね１５を保持する孔部としての貫通孔１４７と、機構フレーム１４の端面から貫通孔１４７に繋がる貫通溝１４８とを備えている。貫通孔１４７の内径は、ラッチばね１５のコイル部１５１の外径よりやや大きい寸法に形成され、貫通溝１４８の溝幅はラッチばね１５の足部１５２、１５３の直径よりやや大きい寸法を有する。
【００６１】
この発明の実施の形態６による回路遮断器は、機構フレーム１４の貫通孔１４７が機構フレーム１４の端面と貫通溝１４８により繋がっていることによって、機構フレーム１４の外側からラッチばね１５の片側の足部１５３をこの貫通溝１４８を通過させてコイル部１５１を貫通孔１４７内に挿入することができる。その他の構成は、前述の実施の形態１による回路遮断器と同様である。
【００６２】
この実施の形態６による回路遮断器によれば、機構フレーム１４の貫通孔１４７が機構フレーム１４の端面と貫通溝１４８により繋がっていることによって、貫通溝１４８にラッチばね１５の片側の足部１５３を通すことができ、ラッチばね１５を機構フレーム１４の貫通孔１４７に容易に組込むことができるので、ラッチばね１５が変形することを抑制することができ、且つ、開閉機構部の組立てが容易となる。
【００６３】
実施の形態７．
図２８は、この発明の実施の形態７に於ける回路遮断器のオン状態での開閉機構部における機構フレームとラッチばね、掛け金、ラッチ、ベース筐体を示す斜視図、図２９は、その機構フレームとラッチばね、掛け金、ラッチ、ベース筐体を示す正面図である。図２８、図２９に於いて、機構フレーム１４を保持するベース筐体１は、機構フレーム１４の孔部としての貫通孔１４２に挿入されたラッチばね１５の一対の足部１５２、１５３の夫々の外側に位置する壁部１０１１、１０１２を備えている。即ち、ベース筐体１の壁部１０１１、１０１２は、ラッチばね１５の軸方向両側を挟んだ配置とされている。尚、壁部１０１１、１０１２は、ベース筐体１とは別の部材により構成してもよい。その他の構成は、前述の実施の形態１による回路遮断器と同様である。
【００６４】
この実施の形態７による回路遮断器によれば、ベース筐体１と同一の部材若しくはベース筐体１とは別の部材により構成した壁部１０１１、１０１２を、ラッチばね１５の両側を挟むように配置しているので、ラッチばね１５の軸方向への移動が壁部１０１１、１０１２に当接するまでの範囲に規制されるので、開閉機構部の開閉操作時の衝撃によってラッチばね１５が変形して、機構フレームの貫通孔１４２よりラッチばね１５が外れることを抑制することができる。
【００６５】
実施の形態８．
図３０は、この発明の実施の形態８による回路遮断器の開閉機構部に於ける機構フレームのラッチばね及び掛け金ばねを保持する孔部を示す斜視図、図３１は、その回路遮断器のオン状態での開閉機構部に於ける機構フレームとラッチばね、掛け金ばね、掛け金、ラッチを示す斜視図、図３２は、その回路遮断器のオン状態での開閉機構部に於ける機構フレームとラッチばね、掛け金ばね、掛け金、ラッチを示す側断面図、図３３は、その機構フレームとラッチばね、掛け金ばね、掛け金、ラッチを示す正面図である。
【００６６】
この発明の実施の形態８による回路遮断器は、図３０乃至図３３に於いて、掛け金４を付勢する掛け金ばね１８と、ラッチ１６を付勢するラッチばね１５とが夫々設けられている。掛け金ばね１８は、コイル部１８１と、このコイル部１８１の軸方向両端部に設けられた一対の足部１８２、１８３とにより構成されている。
【００６７】
機構フレーム１４は、第１の孔部としての貫通孔１４９０と第２の孔部としての貫通孔１５００とを備えている。第２の孔部としての貫通孔１５００の内径は、掛け金ばね１８のコイル部１８１の外径よりもやや大きく形成されている。これらの貫通孔１４９０、１５００とのうち少なくとも一方を、前述の実施の形態２に示したバーリング加工、又は実施の形態３に示した機構フレーム１４の曲げ加工、又は実施の形態４に示した機構フレーム１４に切込みによるせん断加工、又は、実施の形態５に示した機構フレーム１４に設られた貫通孔に円筒形部材１７を挿入しこの円筒形部材１７を機構フレーム１４に接合することによる形成の何れかにより形成することが可能である。
【００６８】
掛け金ばね１８は、そのコイル部１８１が貫通孔１５００に挿入され、その最大外径を有する外周部が貫通孔１５００の内周面に当接することにより機構フレーム１４に保持されている。掛け金ばね１８の一対の足部１８２、１８３は、夫々機構フレーム１４を挟んでその両側に別々に位置するように配置されており、その一方の足部１８２が掛け金４のばね受部４３に係合し、他方の足部１８３が機構フレーム１４に当接している。これにより掛け金４は、掛け金ばね１８により常時時計方向に回動するように付勢されている。その他の構成は、前述の実施の形態１と同様である。
【００６９】
尚、貫通孔１４９０、１５００とのうち少なくとも一方を、実施の形態６に示した貫通溝により機構フレーム１４の端面と繋ぐようにしても良い。又、実施の形態７に示したように、ラッチばね１５と掛け金ばね１８のうちの少なくとも一方の夫々の外側に、壁部を設け、少なくともラッチばね１５と掛け金ばね１８のうちの何れか一方の軸方向への移動を阻止するようにしても良い。
【００７０】
この実施の形態８による回路遮断器によれば、ラッチばね１５及び掛け金ばね１８が占有する空間は、一対の機構フレーム１４のうちの片側の機構フレームの近傍のみであり、他方の機構フレームの近傍及び一対の機構フレーム１４の間の空間部を他部品の配置に用いることができる。  
【００７１】
このため、引きはずし装置３００に於ける限時引き外し手段を構成するバイメタル部２や瞬時引き外し手段を構成するプランジャー部８がオン状態での位置からトリップ状態の位置まで移動する動作軌跡を、ラッチばね１５及び掛け金ばね１８の存在とは無関係に一対の機構フレーム１４の間の空間部に存在させることができ、回路遮断器１００の小型化を図ることができる。また、電源側端子から負荷側端子への方向で開閉機構部２００の占める距離を小さくすることができ、開閉機構部２００の幅寸法も小さくできるので、開閉機構部２００の小形化および回路遮断器１００の小形化ができる。
【図面の簡単な説明】
【００７２】
【図１】この発明の実施の形態１による回路遮断器の外観を示す斜視図である。
【図２】この発明の実施の形態１による回路遮断器のカバー部を外した状態での開閉機構部と引きはずし装置とベース筐体を示す斜視図である。
【図３】この発明の実施の形態１による回路遮断器のオン状態での開閉機構部と引きはずし装置を示す斜視図である。
【図４】この発明の実施の形態１による回路遮断器のトリップ状態での開閉機構部と引きはずし装置を示す斜視図である。
【図５】この発明の実施の形態１による回路遮断器のオン状態での開閉機構部を示す斜視図である。
【図６】この発明の実施の形態１による回路遮断器のオン状態での開閉機構部を示す側断面図である。
【図７】この発明の実施の形態１による回路遮断器のオフ状態での開閉機構部を示す斜視図である。
【図８】この発明の実施の形態１による回路遮断器のオフ状態での開閉機構部を示す側断面図である。
【図９】この発明の実施の形態１による回路遮断器のトリップ状態での開閉機構部を示す斜視図である。
【図１０】この発明の実施の形態１による回路遮断器のトリップ状態での開閉機構部を示す側断面図である。
【００７３】
【図１１】この発明の実施の形態１による回路遮断器の開閉機構部の機構フレームのラッチばねを保持する孔部を示す斜視図である。
【図１２】この発明の実施の形態１による回路遮断器のオン状態での機構フレームとラッチばね、掛け金、ラッチを示す斜視図である。
【図１３】この発明の実施の形態１による回路遮断器のオン状態での機構フレームとラッチばね、掛け金、ラッチを示す側断面図である。
【図１４】この発明の実施の形態１による回路遮断器の図６のＸ方向から見た機構フレームとラッチばね、掛け金、ラッチを示す正面図である。
【図１５】この発明の実施の形態１による回路遮断器のトリップ状態での機構フレームとラッチばね、掛け金、ラッチを示す斜視図である。
【図１６】この発明の実施の形態１による回路遮断器のトリップ状態での機構フレームとラッチばね、掛け金、ラッチを示す側断面図である。
【図１７】この発明の実施の形態１による回路遮断器のラッチばねとラッチばね保持部の上にバイメタル部とプランジャー部の動作軌跡がある状態での開閉機構部を示す側断面図である。
【図１８】この発明の実施の形態２による回路遮断器の開閉機構部の機構フレームのラッチばねを保持する孔部を示す斜視図である。
【図１９】この発明の実施の形態２による回路遮断器の機構フレームとラッチばね、掛け金、ラッチを示す正面図である。
【図２０】この発明の実施の形態３による回路遮断器の開閉機構部の機構フレームのラッチばねを保持する孔部を示す斜視図である。
【００７４】
【図２１】この発明の実施の形態３による回路遮断器の機構フレームとラッチばね、掛け金、ラッチを示す正面図である。
【図２２】この発明の実施の形態４による回路遮断器の開閉機構部の機構フレームのラッチばねを保持する孔部を示す斜視図である。
【図２３】この発明の実施の形態４による回路遮断器の機構フレームとラッチばね、掛け金、ラッチを示す正面図である。
【図２４】この発明の実施の形態５による回路遮断器の開閉機構部の機構フレームのラッチばねを保持する孔部を示す斜視図である。
【図２５】この発明の実施の形態５による回路遮断器の機構フレームとラッチばね、掛け金、ラッチを示す正面図である。
【図２６】この発明の実施の形態６による回路遮断器の開閉機構部の機構フレームのラッチばねを保持する孔部を示す斜視図である。
【図２７】この発明の実施の形態６による回路遮断器のオン状態での機構フレームとラッチばね、掛け金、ラッチを示す斜視図である。
【図２８】この発明の実施の形態７による回路遮断器のオン状態での機構フレームとラッチばね、掛け金、ラッチ、ベース筐体を示す斜視図である。
【図２９】この発明の実施の形態７による回路遮断器の機構フレームとラッチばね、掛け金、ラッチ、ベース筐体を示す正面図である。
【図３０】この発明の実施の形態８による回路遮断器の開閉機構部の機構フレームのラッチばねおよび掛け金ばねを保持する孔部を示す斜視図である。
【００７５】
【図３１】この発明の実施の形態８による回路遮断器のオン状態での機構フレームとラッチばね、掛け金ばね、掛け金、ラッチを示す斜視図である
【図３２】この発明の実施の形態８による回路遮断器のオン状態での機構フレームとラッチばね、掛け金ばね、掛け金、ラッチを示す側断面図である。
【図３３】この発明の実施の形態８による回路遮断器の機構フレームとラッチばね、掛け金ばね、掛け金、ラッチを示す正面図である。
【符号の説明】
【００７６】
１    ベース筐体
１０１    ベース
１０２    ミドルベース
２    バイメタル部
３    トリップバー
４    掛け金
５    固定接点
６    可動接点
７    電磁コイル部
８    プランジャー部
９    第１のリンク
１０    第２のリンク
１１    メインばね
１２    ハンドルアーム
１２１、１６１、１９１    ピン
１２２    ばね掛け部
１３    コネクトピン
１４    機構フレーム
１４２、１４３、１４４、１４５、１４６、１４７  孔部
１４８  溝部
１４９０    第１の孔部
１５００    第２の孔部
１４４１、１４４２    延在部
１４５１、１４５２    延在部
１５    ラッチばね
１５１    コイル部
１５２、１５３    足部
１６    ラッチ
１７    円筒形部材
１８    掛け金ばね
１００    回路遮断器
２００    開閉機構部
３００    引きはずし装置
【図１】
2010140818.tif 000003
【図２】
2010140818.tif 000004
【図３】
2010140818.tif 000005
【図４】
2010140818.tif 000006
【図５】
2010140818.tif 000007
【図６】
2010140818.tif 000008
【図７】
2010140818.tif 000009
【図８】
2010140818.tif 000010
【図９】
2010140818.tif 000011
【図１０】
2010140818.tif 000012
【図１１】
2010140818.tif 000013
【図１２】
2010140818.tif 000014
【図１３】
2010140818.tif 000015
【図１４】
2010140818.tif 000016
【図１５】
2010140818.tif 000017
【図１６】
2010140818.tif 000018
【図１７】
2010140818.tif 000019
【図１８】
2010140818.tif 000020
【図１９】
2010140818.tif 000021
【図２０】
2010140818.tif 000022
【図２１】
2010140818.tif 000023
【図２２】
2010140818.tif 000024
【図２３】
2010140818.tif 000025
【図２４】
2010140818.tif 000026
【図２５】
2010140818.tif 000027
【図２６】
2010140818.tif 000028
【図２７】
2010140818.tif 000029
【図２８】
2010140818.tif 000030
【図２９】
2010140818.tif 000031
【図３０】
2010140818.tif 000032
【図３１】
2010140818.tif 000033
【図３２】
2010140818.tif 000034
【図３３】
2010140818.tif 000035